(57)【要約】【課題】従来の施工方法では、施工主自らが肉体作業に伴う工事に参加することはできず、施工主にとっては、自分の力作業による参加によって自分の家を建てたという満足感を得ることができない。【解決手段】一の施工主に対して行われる複数の工事の種別をサーバーコンピュータ３の記憶手段３２に格納しておき、この工事の種別のうち、少なくとも施工主が参加しうる工事の種別を施工主のクライアントコンピュータ１に選択可能に出力する。そして、施工主からの工事の参加表明を受け付け、この受け付けた工事種別を請負業者側のクライアントコンピュータ２に出力する。また、この際、作業当時におけるスムーズな作業を可能にすべく、工具の貸与・購入、資材の持ち込み、ノウハウの提供、作業指導の有無などを受け付けられるようにする。【選択図】図７
2005174168.tif 000002
【特許請求の範囲】
【請求項１】
一の施工主に対して行われる複数の工事の種別を記憶する種別記憶手段と、
当該種別記憶手段に記憶されている工事の種別のうち、少なくとも施工主が参加しうる工事の種別を施工主側へ選択可能に出力する種別出力手段と、
前記種別出力手段によって出力された工事の種別のうち、施工主による工事の参加表明を受け付ける参加表明受付手段と、
施工主から参加表明がなされた工事種別を請負業者側に出力する参加表明出力手段と、
を具備してなることを特徴とする施工主参加型の工事請負システム。
【請求項２】
前記種別記憶手段が、工事種別とともにその工事に必要となる情報を記憶したものであり、
前記種別出力手段が、施工主が参加しうる工事の種別および当該工事に必要となる情報を施工主側に出力するものである請求項１に記載の施工主参加型の工事請負システム。
【請求項３】
前記種別記憶手段が、工事の種別を日程とともに記憶するものである請求項１に記載の施工主参加型の工事請負システム。
【請求項４】
請求項１に記載の施工主参加型の工事請負システムにおいて、さらに、
工事請負業者による工事の状況を撮像する撮像手段と、
この撮像手段によって撮像された画像を施工主側に表示可能に出力する画像出力手段と、
を備えた施工主参加型の工事請負システム。
【請求項５】
前記撮像された画像を記憶媒体に記録する画像記録手段を備えた請求項４に記載の施工主参加型の工事請負システム。
【請求項６】
一の施工主に対して行われる複数の工事の種別を記憶するステップと、
この記憶された工事の種別のうち、少なくとも施工主が参加しうる工事の種別を施工主側へ選択可能に出力するステップと、
この出力された工事の種別のうち、施工主からの工事の参加表明を受け付けるステップと、
施工主から参加表明がなされた工事種別を請負業者側に出力するステップと、
を具備してなることを特徴とする施工主参加型の工事請負方法。
【請求項７】
前記工事の種別を記憶するステップが、工事種別とともにその工事に必要となる情報を記憶するものであり、
前記工事の種別を施工主へ選択可能に出力するステップが、施工主が参加しうる工事の種別および当該工事に必要となる情報を施工主側に出力するものである請求項６に記載の施工主参加型の工事請負方法。
【請求項８】
前記工事の種別を記憶するステップが、工事の種別を日程とともに記憶するものである施工主参加型の工事請負方法。
【請求項９】
請求項６に記載の施工主参加型の工事請負方法において、さらに、
工事請負業者による工事の撮像画像を受け取るステップと、
この撮像された画像を施工主側に表示可能に出力するステップと、
を備えた施工主参加型の工事請負方法。
【請求項１０】
請求項９に記載の施工主参加型の工事請負方法において、
前記受け取った撮像画像を記憶媒体に記録するステップと、
施工主参加型の工事請負方法。
【発明の詳細な説明】
【技術分野】
【０００１】
本発明は、施工主が工事に参加することができる施工主参加型の工事請負システムに関し、より具体的には、複数の工程にまたがる工事のうち施工主が選択した工事に参加し、その際、必要な工具や資材、作業のノウハウの提供を受けることができるようにしたシステムなどに関するものである。
【背景技術】
【０００２】
一般に、住宅の建築やリフォームなどを行う場合、まず、建築場所やリフォームの箇所を選定し、次に、これらの建築場所やリフォーム箇所における設計や施工などを行うのが通例である。そして、これらの設計や施工のうち、施工に関しては工事の請負業者が主体となって一貫した作業を行い、工事発注者である施工主がこれらの作業に参加することはほとんどない。また、参加できるとしても工事の設計に関与する程度でしかなかった。この設計への参加を示す文献としては、下記の特許文献１、特許文献２などが存在する。
【０００３】
この特許文献１に記載されているシステムは、施工主が自らの建物の設計作業に参加し、住宅メーカ側の営業部門及び設計部門とともに協調設計を行いうるユーザ参加型設計支援システムに関するものであり、下記の特許文献２に記載されるようなオブジェクト指向を用いた設計方法などを用いて住宅メーカの業務用住宅設計支援データベースを構築し、ユーザが、業務用スペースオブジェクトとデータベースの装備されたサーバーへ接続して、ホームページを閲覧しながらユーザ参加の概略設計を行えるようにしたものである。
【特許文献１】特開平８―２２２８９６号公報
【特許文献２】特願平１１―２３６２１５号公報
【発明の開示】
【発明が解決しようとする課題】
【０００４】
しかしながら、上記特許文献１、特許文献２に記載されているようなシステムでは、施工主自らが肉体作業に伴う工事に参加することはできない。このため、施工主にとっては、自分の力作業による参加によって自分の家を建てたという満足感を得ることができず、精々、工事完成後に日曜大工として内装の一部や外構の一部を追加する程度の満足感しか得ることができなかった。
【０００５】
一方、仮に、施工主が工事に参加できるようにするとした場合、工事を担当する請負業者の了解を得る必要があるが、工事に関しての素人である施工主が請負業者とコンタクトを取って参加を表明しにくいのが現状であり、実際に工事に参加することは不可能に近い。また、参加の表明が許可されたとした場合であっても、作業の不出来や作業の遅れなどによって請負業者に迷惑を掛けないような作業を行わなければならない。
【０００６】
そこで、本発明はかかる課題に着目してなされたもので、施工主側からの作業の参加表明を簡易なものにするとともに、質の高い作業の参加を促せるようにした工事請負システムなどを提供することを目的とするものである。
【課題を解決するための手段】
【０００７】
すなわち、本発明は上記課題を解決するために、あらかじめ一の施工主に対して行われる複数の工事の種別を記憶しておき、この工事の種別のうち、少なくとも施工主が参加しうる工事の種別を施工主へ選択可能に出力する。そして、この表示された工事の種別のうち、施工主からの工事の参加表明を受け付け、この受け付けた工事種別を請負業者側に出力するように構成したものである。
【０００８】
このように構成すれば、あらかじめ請負業者が参加の表明を許可したものを記憶手段に記憶しておけば、施工主側から請負業者側に参加の可否を問い合わせることなく簡単に工事に参加表明をすることができるようになる。
【０００９】
また、別の発明では、あらかじめ工事種別に対応してその工事に必要となる情報を記憶し、施工主によって参加表明がなされた工事に必要となる情報を出力する。
【００１０】
このように構成すれば、作業に必要となる工具、資材、ノウハウなどに関する情報をあらかじめ施工主側に提供することができ、質の高い作業を促すことができるようになる。また、この際、あらかじめ工具の貸与の必要性や材料の購入の必要性などを施工主に問い合わせできるようにすれば、より施工主に現場でスムーズな作業を可能にすることができる。
【００１１】
さらに、工事の種別を、工事の日程とともに記憶し、これらの情報を施工主に表示させるようにする。
【００１２】
このように構成すれば、請負業者のスケジュールに合わせた施工主の参加が可能となる。さらに、このようなシステムにおいて施工主側からの日程変更の希望を送信できるようにすれば、請負業者と施工主とスケジュールの調整を行うことによって、施工主の都合の良い日に作業をさせることができるようになる。
【００１３】
加えて、このようなシステムにおいて、工事請負業者による工事の状況を撮像し、この撮像された画像を施工主側に出力する。
【００１４】
このように構成すれば、施工主が遠隔地に住んでいる場合であっても、実際の工事の状況を把握することができ、工事の監視強化による工事の品質の向上を図ることができる。また、施工主が作業に参加する箇所の雰囲気を映像として捉えることができるため、現場でのスムーズな作業を行わせることができるようになる。
【００１５】
また、このように撮像された工事の画像を記憶媒体に記録させ、施工主などに提供できるようにする。
【００１６】
このように構成すれば、施工主が、工事終了後に作業の状況を遡って調査することができ、実際に使われた材料や施工方法などの証拠を調べることができる。また、このような記憶媒体から工事の状況を出力することによって、どの部分に柱、補強部材、配管材などが組み込まれているかを把握することができるようになり、その後の点検、アフターサービス、リフォームになどに役立てることできるようになる。
【発明の効果】
【００１７】
本発明では、一の施工主に対して行われる複数の工事の種別を記憶手段に記憶しておき、この工事の種別のうち、少なくとも施工主が参加しうる工事の種別を施工主へ選択可能に出力するとともに、この表示された工事の種別のうち、施工主からの工事の参加表明を受け付け、この工事種別を請負業者側に出力するように構成したので、施工主側から請負業者側に参加の可否を問い合わせることなく簡単に工事に参加表明をすることができるようになる。
【発明を実施するための最良の形態】
【００１８】
以下、本発明の一実施の形態について図面を参照しながら説明する。本実施の形態における工事請負システム１００は、図１に示すように、施工主側に設けられるクライアントコンピュータ１および工事請負業者側に設けられるクライアントコンピュータ２と、これらクライアントコンピュータ１、２に対してインターネットなどのネットワーク４を介して接続されるサーバーコンピュータ３とを具備してなるもので、あらかじめ工事請負業者によって入力された工事に関する情報をサーバーコンピュータ３の記憶手段３２（図２参照）に格納しておき、施工主がこれらのサーバーコンピュータ３にアクセスすることによって自分が参加できる工事の種別を認識できるようにするとともに、参加を希望する工事に必要となる工具や資材、作業のノウハウなどに関する情報を取得できるようにしたものである。そして、本実施の形態における工事請負システム１００においては、かかる機能を実現するためにクライアントコンピュータ１、２やサーバーコンピュータ３に以下の機能を持たせている。
【００１９】
まず、施工主側に設けられるクライアントコンピュータ１は、汎用のパーソナルコンピュータなどによって構成され、装置本体内に、ＣＰＵ、ＲＯＭやＲＡＭなどの記憶手段、キーボードやマウスなどの入力装置１０（図１参照）、ディスプレイなどの出力装置１１、ＣＤドライブなどの記憶媒体読出手段、及び、ネットワーク４を介してサーバーコンピュータ３に接続するための通信手段１２などを設け、これらを協働させて図２に示す参加情報入力手段１３、表示出力手段１４などを機能させる。
【００２０】
このうち、参加情報入力手段１３は、キーボードやマウスなどの入力装置１０などを用いてなるもので、後述するように、施工主が参加表明する工事の種別および、この工事に関連する情報、例えば、工具の貸与の必要性、資材の持ち込みの有無、現場作業における指導の必要性などに関する情報の入力を受け付ける。これらの情報の入力は、表示出力手段１４によって出力装置１１に出力された画面に従って行われ、通信手段１２を介してサーバーコンピュータ３に送信される。
【００２１】
表示出力手段１４は、出力装置１１やブラウザなどのソフトによって構成される。そして、この表示出力手段１４によって、サーバーコンピュータ３から取得した工事に関する情報や、キーボードやマウスなどの入力装置１０を介して入力された情報などが表示される。
【００２２】
図５にこの表示出力手段１４によって表示された画面の一例を示す。図５は、サーバーコンピュータ３に格納されたファイルを取得して出力装置１１に表示した画面例を示すものであり、サーバーコンピュータ３の管理者側から通知された所定のＵＲＬの入力を受け付け、その後、施工主のＩＤやパスワードなどを受け付けることによって会員専用のウェブページを示したものである。この図５において、縦軸５０は工事種別を示し、また横軸５１は、工事の実施日を示し、これら工事種別および実施日内には具体的な進捗項目５２が表示される。そして、この実施日のうち、５３は現在の日付を示し、この日付内の該当進捗項目５２をクリックすることによって本日の作業スケジュールや現在の作業を示す画像などを表示する。また５４は過去の日付を示し、この日付における所望の進捗項目５２がクリックされた場合は、図６に示すように、その日付に行われた作業の履歴である人数、担当者名、完成度、詳細、完成予定日などを表示する。また、その画面内に作業現場における実際の作業の映像を示す。この映像は、サーバーコンピュータ３の記憶手段３２に格納されており、サーバーコンピュータ３にアクセスすることによって過去の作業映像や現在の作業の状態を示す映像を表示する。また、５５は将来の日付を示し、この日付における所望の進捗項目５２がクリックされた場合には、図７に示すように、
（ａ）作業の内容
（ｂ）人足
（ｃ）参加可否に関する情報
（ｄ）参加表明の期限
（ｅ）必要な工具
（ｆ）工具の貸与希望、工具の購入希望
（ｇ）資材の持ち込み、購入
（ｈ）作業指導
などに関する情報を表示する。
【００２３】
このうち作業の内容（ａ）については、参加表明を選択された工事種別の具体的な内容を表示し、例えば、建築木工事である場合は、「柱を四隅に立てる」などの具体的な内容が表示される。
【００２４】
人足（ｂ）については、その工事に必要となる人数および時間に関する情報を示す。例えば、その作業に５名で８時間要する場合は、「５名／日」なる情報が表示され、また、作業坪数に対応する情報も必要である場合は、その面積などに対応した人足情報も表示される。
【００２５】
参加可否に関する情報（ｃ）については、施工主がこの工事種別に参加できるか否かの情報を示す。工事請負業者による参加の了承が既に得られているものについては「可能」である旨を表示し、了承が得られていないものについては「不可」である旨を表示する。
【００２６】
参加表明の期限（ｄ）は、その工事種別に対して施工主が参加表明しうる最終の期限を示す。この欄には、工事日程の変更を希望するための「変更希望」ボタン７０が表示され、このボタン７０をクリックすることによって、図８に示すような日程変更を希望するためのフォーム図８（ａ）を表示する。そして、この図８（ａ）のフォームに基づき、施工主が変更希望の日時を入力することによってサーバーコンピュータ３を介して請負業者のクライアントコンピュータ２に送信し、両者の合意が得られることを条件にその作業の日程を変更する。
【００２７】
必要な工具（e）は、この工事種別に対する作業に必要な工具を示す。
【００２８】
工具の貸与希望（ｆ）は、施工主が作業する際に必要となる工具に対する貸与を希望するか否かを示し、また、工具の購入希望は、その工具を購入するか否かの情報を示す。これらの工具の貸与や購入は、デフォルトではそれぞれ「無」（図７における太線を示す状態）に設定される。そして、施工主がこれらの工具の貸与や購入などを希望した場合、「有」ボタンのクリックを受け付けることによって工具の貸与や購入の画面を表示する。図９にこの工具の貸与や購入に関する画面を示す。図９（ａ）は工具の貸与に関する画面の遷移図を示したものであり、図９（ｂ）は工具の購入に関する画面の遷移図を示したものである。この図９（ａ）（ｂ）において工具内容、例えば「金槌」「かんな」「のこぎり」「電動のこぎり」などの右欄９０はマウスでクリック可能に設けられており、貸与や購入を希望する工具をクリックした後、画面中における「決定」ボタン９１を受け付けることによって選択された工具、価格、支払方法を示すための金融機関やその口座番号などの情報を表示する。
【００２９】
また、資材の持ち込み、購入（ｇ）に関する情報は、その作業に必要となる資材を自分で持ち込むか請負業者に一任するかの情報を示す。デフォルトでは、この資材を「業者に一任」に設定されており、施工主が自分で持ち込む場合のみ「持込」のクリックの入力を受け付け、図１０に示す画面を表示する。この画面においては、「柱材、釘、かすがい、塗料」などの資材の右側の「施工主の希望」欄１０１はマウスでクリックできるように設けられており、施工主が持込欄をクリックすることによってその資材の持ち込みの入力を許容する。また、これらの資材の持ち込みに関しては、「言った」「言わない」などのトラブルを防止すべく、業者の承諾欄および施工主の合意欄１０２を設けており、これらの欄に両者がマウスで「承諾」を入力することによって両者の合意を証拠として残すことができるようにしている。
【００３０】
作業指導（ｈ）は、その工事種別の作業に必要となるノウハウや作業指導が必要であるか否かの情報を示す。ノウハウについては、図７の「ノウハウ」部分７１をクリックすることによって、図１１に示すようなその作業に必要となるノウハウを表示し、また、このノウハウだけでは単独の作業が困難な場合は、請負業者による作業指導を受け付けることによって現場での作業を行えるようにする。この作業指導に関しては、デフォルトでは「否」、すなわち、指導不要に設定され、施工主がマウスで作業内容の所定欄１１０をクリックした場合にのみ「指導要」に変更する。
【００３１】
一方、請負業者側に設けられるクライアントコンピュータ２は、施工主側のクライアントコンピュータ１と同様に汎用のパーソナルコンピュータなどによって構成され、装置本体内にＣＰＵ、ＲＯＭやＲＡＭなどの記憶手段、キーボードやマウスなどの入力装置２０（図１参照）、ディスプレイなどの出力装置２１、及び、ネットワーク４を介してサーバーコンピュータに接続するための通信手段２２などを設ける。そして、これらを協働させて図２に示す工事情報入力手段２３、表示出力手段２４などを機能させる。
【００３２】
このうち工事情報入力手段２３は、施工主との契約内容に基づく工事内容を入力する。この工事内容として入力されるものとしては、具体的には、図５から図１１に示された画面の具体的内容に関する情報であり、例えば、工事種別、スケジュール、必要な工具、資材、および施工主が参加できる工事種別や作業のノウハウに関する情報などである。そして、これら情報はサーバーコンピュータ３から提供される入力フォームに従って入力され、その入力した情報を、通信手段２２を介してサーバーコンピュータ３の記憶手段３２に格納する。
【００３３】
この表示出力手段２４は、サーバーコンピュータ３から提供された入力フォームなどを始めとした各種画面を表示する。この表示される内容としては、例えば、施工主側のクライアントコンピュータ１に表示される画面（図５から図１１）の各欄をブランクにした画面が表示され、請負業者がこれらのブランク部分に所定の情報を入力することによって各項目を表示出力できるようにする。
【００３４】
また、この請負業者側のクライアントコンピュータ２には、現場の作業状態を撮像するための撮像手段たるカメラ２５（図１）が設けられる。このカメラ２５は工事現場の作業状態を撮像できるようにすべく、例えば、ヘルメットなどに取り付けられる。なお、ヘルメットにカメラ２５を装着するのが困難な場合は、三脚などによってカメラを固定するようにしても良い。そして、そのカメラ２５に接続された通信手段２６を介して請負業者側のクライアントコンピュータ２に無線で映像を送信し、このクライアントコンピュータ２の通信手段２２を介してサーバーコンピュータ３にその映像を送信する。
【００３５】
サーバーコンピュータ３は、これら施工主側のクライアントコンピュータ１および請負業者側のクライアントコンピュータ２に接続可能に設けられる。このサーバーコンピュータ３も同様に、ＣＰＵや比較的大容量の記憶手段３２、キーボードなどの入力装置３０（図１）、ディスプレイなどの出力装置３１、ＣＤやＤＶＤなどの記憶媒体に所定の情報を書き込むための書込手段３３、通信手段３４などを具備してなるものであり、入力装置３０を介して施工主および請負業者側のクライアントコンピュータ１、２に表示させるための画面を作成する。そして、施工主と請負業者との間の契約が完了した旨の通知がなされることを条件に、施工主や請負業者に対してＩＤやパスワードを通知し、これらＩＤやパスワードを用いて工事に関する画面にアクセスできるようにする。
【００３６】
次に、このように構成された工事請負システム１００のフローチャートについて図３、図４に説明する。なお、図３は工事の契約から工事開始前までにおけるフローチャートを示し、図４は工事開始から工事完了までのフローチャートを示す。
<契約〜工事開始前>
【００３７】
まず、工事開始前においては、施工主が請負業者を選定し、その請負業者との間で施工場所などを決定する。この施工場所とは、例えば、新築の場合は建物を建てる土地を示し、また、改築の場合は、その改築の対象となる箇所を示す。そして、施工主と請負業者との間の契約が締結されることを条件に、サーバーコンピュータ３の管理者側がこれら施工主や請負業者に対してＩＤやパスワードを設定する。そして、工事に関する情報を示すＵＲＬおよびウェブページを設定記憶し（Ｕ１）、これらＩＤやパスワード、ＵＲＬなどの情報を施工主や請負業者に通知する。
【００３８】
これらの情報が通知された場合、まず、請負業者は指定されたＵＲＬにアクセスし、サーバーコンピュータ３から提供された入力フォームに従って工事のスケジュールなどに関する情報を入力する（Ｔ１）。そして、この入力が完了したら、これらの情報をサーバーコンピュータ３に送信してサーバーコンピュータ３の記憶手段３２に格納する（Ｕ２）。
【００３９】
一方、施工主側は、請負業者がこれらの情報を入力した後、指定されたＵＲＬにアクセスしてＩＤやパスワードを入力することによって工事に関する情報を表示する（Ｓ１）。そして、この画面における工事のスケジュールの所望の進捗項目５２のクリックを受け付ける（Ｓ２）ことによって工事の詳細内容などを表示し（Ｓ３）、また、参加希望の工事に対する日程変更を希望した場合は（Ｓ４）、所定のフォームによって希望日時に関する情報をサーバーコンピュータに送信する（Ｓ５）。これに対して、請負業者がこの変更希望日時をサーバーコンピュータ３にアクセスして閲覧し（Ｔ２）、日程の修正（Ｔ３）をした後、サーバーコンピュータ３は両者の合意のとれた日時に工事のスケジュールを変更する（Ｕ３）。そして、施工主からの工事の参加の有無に関する情報の入力を受け付け（Ｓ６）、その際、必要な工具、資材の入力を受け付けて（Ｓ７）サーバーコンピュータ３に送信するとともに、その作業に必要となるノウハウなどを読み出して施工主に表示する（Ｓ８）。
<工事開始〜工事完了>
【００４０】
次に、工事が開始された場合のフローチャートについて図４を用いて説明する。
【００４１】
まず、工事のスケジュールに沿って工事が開始された場合、その工事の映像を撮像して（Ｔ１０）工事種別毎にサーバーコンピュータ３の記憶手段３２に格納する（Ｕ１０）とともに、その日程の工事が完了した場合は、請負業者側のクライアントコンピュータ２からその工事の履歴情報の入力を受け付ける（Ｔ１１）。これに対して、施工主がサーバーコンピュータ３にアクセスして工事情報を表示し（Ｓ１０）、過去の日付における工事種別の進捗項目５２をクリックした場合（Ｓ１１）、その進捗項目５２の履歴や作業状態を示す映像を表示する（Ｓ１２）。また、施工主が現在の日付における所望の工事種別の進捗項目５２をクリックした場合は（Ｓ１１）、その進捗項目５２における現在の映像を表示する（Ｓ１３）。また、将来の工事スケジュールにおける工事種別の進捗項目５２がクリックされた場合は（Ｓ１１）、その進捗項目５２の詳細を表示するとともに（Ｓ１４）、前述と同様に、参加希望の工事に対する日程を変更したい場合は変更ボタン７０の入力を受け付けて（Ｓ１５：ＹＥＳ）、図８（ａ）に示すフォームに従って希望日時に関する情報を入力してサーバーコンピュータ３に送信し（Ｓ１６）、サーバーコンピュータ３の記憶手段３２に格納する（Ｕ１０）。そして、請負業者がこの変更希望日時を閲覧し（Ｔ１２）、日程の修正をした後（Ｔ１３）、両者の合意のとれた日時に工事のスケジュールを変更する。そして、施工主からの工事の参加の有無に関する情報の入力を受け付け（Ｓ１７）、その際、必要な工具、資材の入力を受け付けるとともに（Ｓ１８）、その作業に必要となるノウハウなどを読み出して施工主側のクライアントコンピュータ１に表示する（Ｓ１９）。
<工事完了〜>
【００４２】
そして、工事が完成し、引き渡し手続などが完了した場合、請負業者からサーバーコンピュータ３側の管理者に手続が完了した旨の連絡を受け付け、サーバーコンピュータ３の管理者側では、記憶手段３２に格納された工事のスケジュールや映像などに関する工事の一切の情報をＣＤやＤＶＤなどの記憶媒体に書込手段３３を用いて記録し、施工主および請負業者側に送付する。
【００４３】
このように上記実施の形態によれば、一の施工主に対して行われる複数の工事の種別をサーバーコンピュータ３の記憶手段３２に格納しておき、この工事の種別のうち、少なくとも施工主が参加しうる工事の種別を施工主のクライアントコンピュータ１に選択可能に出力するとともに、施工主からの工事の参加表明を受け付け、この受け付けた工事種別を請負業者側のクライアントコンピュータ２に出力するように構成したので、施工主側から請負業者側に参加の可否を問い合わせることなく簡単に工事に参加することができるようになる。
【００４４】
また、あらかじめ工事種別に対応してその工事に必要となる工具の貸与や資材の持ち込み、ノウハウ、施工指導の有無などに関する情報を出力するようにしたので、素人である施工主が作業する場合であっても比較的質の高い作業を促進することができるようになる。
【００４５】
さらに、工事の種別を、工事の日程とともにサーバーコンピュータ３の記憶手段３２に格納しておき、これらの情報を施工主側のクライアントコンピュータ１で表示させるようにしたので、請負業者のスケジュールに合わせて日程調整を行い、この日程に合わせて施工主の参加ができるようになる。また、施工主側からの日程変更の希望をサーバーコンピュータ３側に送信し、請負業者側でもこの情報を閲覧できるようにしたので、施工主のスケジュールに合わせた作業が可能となる。
【００４６】
加えて、工事請負業者側にカメラ２５を設け、このカメラ２５によって工事の状況を撮像して施工主側のクライアントコンピュータ１に表示させるように構成したので、施工主が遠隔地に住んでいる場合であっても、実際の工事の状況を把握することができ、工事の監視強化による工事の品質の向上を図ることができる。また、施工主が作業に参加する部分のイメージを映像で捉えることができるため、現場でのスムーズな作業を行わせることができるようになる。
【００４７】
また、このように撮像された工事の画像をサーバーコンピュータ３の記憶手段３２に格納しておき、工事完了後に書込手段を用いて記憶媒体に記録し、施工主や請負業者などに送付するようにしたので、工事終了後に工事の状況を調査することができ、実際に使われた材料や施工方法などの証拠を調べることができる。また、このような記憶媒体から工事の状況を出力することにより、どの部分に柱、補強部材、配管材などが組み込まれているかを把握することができるようになり、その後の点検、アフターサービス、リフォームになどに役立てることできるようになる。
【００４８】
なお、本発明は上記実施の形態に限定されることなく種々の態様で実施することができる。
【００４９】
例えば、上記実施の形態では、工事請負業者側のクライアントコンピュータ２とサーバーコンピュータ３とを別体として設けるようにしているが、工事請負業者とサーバーコンピュータ３の管理者とが同一である場合は、これらの機能を統一してサーバーコンピュータとして用いるようにしても良い。
【００５０】
また、上記実施の形態では、施工主側に表示する作業スケジュールの画面として図５のような画面を用いたが、これに限らず、ディスプレイの一画面で詳しい情報を表示できない場合は、例えば、単なる曜日と日付だけからなるカレンダーを表示させるとともに、このカレンダー上の日付をクリックすることによって、その日付における仕事の工程、出来具合、工事箇所の映像などを表示させるようにしても良い。また、同様に、そのクリックされた日付が将来の日付である場合、その日の仕事の工程および施工主の参加の可否などに関する情報を表示させるようにしても良い。
【００５１】
さらに、上記実施の形態では、施工主側から請負業者側に要望を出すケースとしては、参加可能な作業の日付変更の場合のみであったが、これに限らず、各進捗項目５２の内容について施工主側から要望を送信できるようにしても良い。この場合、図５における将来の日付５５の所望の進捗項目５２をクリックすることにより図７に示す画面を表示するとともに、この図７に「要望」に関するボタンを設け、このボタンをクリックすることによって、「ここまで仕上げて欲しい」などの要望をサーバーコンピュータ３を介して施工業者のクライアントコンピュータ２に送信すると良い。
【００５２】
加えて、上記実施の形態では、図５から図１１のようなウェブページを用いて実施されるが、これに限らず種々の画面構成で同様の作業を実現することができる。
【図面の簡単な説明】
【００５３】
【図１】本発明の一実施の形態における工事請負システムを示すシステム概観図
【図２】同形態における施工業者側、請負業者側のクライアントコンピュータおよびサーバーコンピュータの機能を示すブロック図
【図３】同形態における工事開始までにおけるシステムのフローチャート
【図４】同形態における工事開始から工事完了までのシステムのフローチャート
【図５】施工業者側のクライアントコンピュータに表示されるログイン後の画面表示例
【図６】施工業者側のクライアントコンピュータに表示される過去の作業履歴の画面表示例
【図７】施工業者側のクライアントコンピュータに表示される将来の作業スケジュールの画面表示例
【図８】施工業者側のクライアントコンピュータに表示される日付変更フォームの画面表示例
【図９】施工業者側のクライアントコンピュータに表示される工具の貸与・購入の画面表示例
【図１０】施工業者側のクライアントコンピュータに表示される資材持ち込みなどの画面表示例
【図１１】施工業者側のクライアントコンピュータに表示される作業のノウハウの画面表示例
【符号の説明】
【００５４】
１・・・施工主側のクライアントコンピュータ
２・・・工事請負業者側のクライアントコンピュータ
３・・・サーバーコンピュータ
１３・・・参加情報入力手段
１４・・・表示出力手段
２３・・・工事情報入力手段
２４・・・表示出力手段
２５・・・カメラ
３２・・・記憶手段
３３・・・書込手段
５０・・・工事の種別
１００・・・工事請負システム
【図１】
2005174168.tif 000003
【図２】
2005174168.tif 000004
【図３】
2005174168.tif 000005
【図４】
2005174168.tif 000006
【図５】
2005174168.tif 000007
【図６】
2005174168.tif 000008
【図７】
2005174168.tif 000009
【図８】
2005174168.tif 000010
【図９】
2005174168.tif 000011
【図１０】
2005174168.tif 000012
【図１１】
2005174168.tif 000013